(57)【要約】【課題】  多機能を具えて市場での競争力が増された導光式リーディングボードの提供。【解決手段】  導光板とケースで組成され、夜間或いは光線不足時に他人の休息を邪魔せずに閲覧するのに使用され、ケースの一側に滑り溝が設けられ、且つ上下にスライド可能な拡大レンズが設けられ、ケースの内部に発光回路、録音回路、ラジオ回路及び定時装置が設けられ、発光によるリーディング補助、録音、ラジオ受信及びタイマー等の多機能を具えている。【選択図】        図２
0003105898.tif 000002
【実用新案登録請求の範囲】
【請求項１】
導光板とケースで組成され、夜間或いは光線不足時のリーディングを補助する導光式リーディングボードにおいて、該ケース内に発光回路が設けられ、該発光回路の光源はケース側辺に取り付けられて外向きに延伸された導光板側縁に向けて光線を照射し、該ケースの上方に滑り溝があり、該滑り溝に拡大レンズホルダとレンズが取付られ、導光板に向けて延伸されその上を被覆し、並びに滑り溝に沿って往復移動可能とされたことを特徴とする、導光式リーディングボード。
【請求項２】
請求項１記載の導光式リーディングボードにおいて、ケース内部にラジオ受信機回路、録音回路とタイマー回路が設けられたことを特徴とする、導光式リーディングボード。
【請求項３】
請求項１記載の導光式リーディングボードにおいて、発光回路の光源がバルブとされたことを特徴とする、導光式リーディングボード。
【請求項４】
請求項１記載の導光式リーディングボードにおいて、発光回路の光源がＬＥＤランプとされたことを特徴とする、導光式リーディングボード。
【請求項５】
請求項１記載の導光式リーディングボードにおいて、発光回路の光源がランプとされたことを特徴とする、導光式リーディングボード。
【考案の詳細な説明】
【技術分野】
【０００１】
本考案は一種の導光式リーディングボードに係り、特に、導光板とケースで構成され、該ケース内部の光源が導光板に光線を提供して、夜間或いは光線不足時の閲覧を補助し、他人の休息を妨害しないものに関する。
【背景技術】
【０００２】
一般に導光式リーディングボードは夜間或いは光線不足時の閲覧補助に用いられる。現在、一般に講演会場ではプロジェクタを資料の説明の補助工具として使用する場合が多いが、それはランプの光を一定の輝度に調整しなければはっきりと観ることができない。このような場合、聴衆は導光式リーディングボードを使用することで手元の関係資料を他人に対する干渉なく読むことができる。周知の導光式リーディングボードは、図１に示されるように、ケース内部に光源が設置され、光源の発生する光線を導光板内部で不断に屈折させて外向きに拡散させずに全体の導光板を発光させ、閲覧時に光線拡散が他人に干渉しないようにしている。しかし周知の導光式リーディングボードの多くは単一用途であり、応用範囲は広くなく、実用性に欠乏するため市場で淘汰されやすい。
【考案の開示】
【考案が解決しようとする課題】
【０００３】
本考案は導光式リーディングボードに多機能を具備させて実用性を高め、その市場での競争力を増すことを主要な目的としている。
【課題を解決するための手段】
【０００４】
請求項１の考案は、導光板とケースで組成され、夜間或いは光線不足時のリーディングを補助する導光式リーディングボードにおいて、該ケース内に発光回路が設けられ、該発光回路の光源はケース側辺に取り付けられて外向きに延伸された導光板側縁に向けて光線を照射し、該ケースの上方に滑り溝があり、該滑り溝に拡大レンズホルダとレンズが取付られ、導光板に向けて延伸されその上を被覆し、並びに滑り溝に沿って往復移動可能とされたことを特徴とする、導光式リーディングボードとしている。
請求項２の考案は、請求項１記載の導光式リーディングボードにおいて、ケース内部にラジオ受信機回路、録音回路とタイマー回路が設けられたことを特徴とする、導光式リーディングボードとしている。
請求項３の考案は、請求項１記載の導光式リーディングボードにおいて、発光回路の光源がバルブとされたことを特徴とする、導光式リーディングボードとしている。
請求項４の考案は、請求項１記載の導光式リーディングボードにおいて、発光回路の光源がＬＥＤランプとされたことを特徴とする、導光式リーディングボードとしている。
請求項５の考案は、請求項１記載の導光式リーディングボードにおいて、発光回路の光源がランプとされたことを特徴とする、導光式リーディングボードとしている。
【考案の効果】
【０００５】
本考案は導光式リーディングボードに発光リーディング補助機能のほか、拡大機能、録音機能、ラジオ受信機機能、及びタイマー機能等の多機能を設け、これによりその市場での競争力を増している。
【考案を実施するための最良の形態】
【０００６】
本考案の導光式リーディングボードは、導光板とケースで組成され、夜間或いは光線不足時に他人の休息を邪魔せずに閲覧するのに使用され、ケースの一側に滑り溝が設けられ、且つ上下にスライド可能な拡大レンズが設けられ、ケースの内部に発光回路、録音回路、ラジオ受信機回路及び定時装置が設けられ、発光によるリーディング補助、録音、ラジオ受信及びタイマー等の多機能を具えている。
【０００７】
以上の構造を使用する時、導光式リーディングボードは閲覧したい文献或いは資料の上方に置かれ、発光回路中の光源を利用し、光源の発射する光線を導光板内部で不断に屈折させて、全体の導光板を発光させ、リーディング時に光線の拡散が他人に干渉するのを防止するほか、滑り溝内を上下にスライドする拡大レンズホルダを利用して資料の文字を拡大して読みやすくすることができる。また、録音機能により、講演の内容を録音でき、遺漏を防止する。また、ラジオ受信機及びタイマーの装置により、独自に閲覧する時の音楽観賞と休息時間通知の機能が得られる。ゆえに本考案は、多機能の実用性により、市場での競争力が増されている。
【実施例１】
【０００８】
図２、３に示されるように、本考案の導光式リーディングボードは、導光板１０とケース２０で構成され、そのうち、導光板１０はケース２０の側辺に取付られ、該ケース２０の上方に滑り溝２１が設けられ、該滑り溝２１に外向きに延伸された拡大レンズホルダ２１ａが取付られ、該拡大レンズホルダ２１ａは滑り溝２１内を上下にスライド自在とされる。且つケース２０の内部に発光回路２２、録音回路２３、及び定時装置２５が設けられている。該発光回路２２の光源２２ａはケース２０内部に取付られ、外部のスイッチで制御される。且つ光源２２ａの方向は直接導光板１０に照射するものとされ、該光源２２ａは小型バルブ、ＬＥＤランプ或いは現在流行の蛍光ランプとされる。録音回路２３とラジオ受信機回路２４は切り換えスイッチ２６により制御される。そのうち、録音機能に切り換えて使用する時、その録音回路２３とケース２０の適当な位置に位置するマイクロホン２３ａは連接し、該マイクロホン２３ａにより音声信号が受信され、録音回路２３のメモリ中に保存され、ラジオ受信機回路２４に使用されるイヤホンジャック２４ａ或いはスピーカ２４ｂにより受信を行ない、ラジオ受信機機能使用時には、イヤホンジャック２４ａ或いはスピーカ２４ｂにより聴くことができ、並びに制御スイッチで周波数調整及び音量制御を行なうことができる。タイマー装置２５の使用時には、スイッチを利用して必要時間を制御し、時間が到達すると、発光或いは警告音により使用者に通知する。
【０００９】
図４は本考案の実施例図であり、導光式リーディングボード１は閲覧したい文献或いは資料２の上方に架設され、発光回路２２中の光源２２ａを利用して、全体の導光板１０が発光し、且つ滑り溝２１内を上下にスライドする拡大レンズホルダ２１ａで文献或いは資料２の文字を拡大して観ることができる。また、録音機能を具え、講演者が述べる内容を録音でき、遺漏を防止する。このほか、ラジオ受信機とタイマーの装置を具え、閲覧者に音楽を聴いたりタイマー通知の機能を提供する。
【００１０】
総合すると、本考案の導光式リーディングボードは、発光リーディング補助、拡大効果、録音、ラジオ受信機、及びタイマーの機能を具え、確実に実用性を具え、市場での競争力を増す機能を具え、実用性、及び進歩性を具えている。
【図面の簡単な説明】
【００１１】
【図１】本考案の導光式リーディングボードの立体構造図である。
【図２】本考案の立体分解図である。
【図３】本考案の立体構造図である。
【図４】本考案の実施表示図である。
【符号の説明】
【００１２】
１  導光式リーディングボード                    ２  文献或いは資料
１０  導光板                                    ２０  ケース
２１  滑り溝                                    ２１ａ  拡大レンズホルダ
２２  発光回路                                  ２２ａ  光源
２３  録音回路                                  ２３ａ  マイクロホン
２４  ラジオ受信機回路                          ２４ａ  イヤホンジャック
２４ｂ  スピーカ                                ２５  タイマー装置
２６  切り換えスイッチ
【図１】
0003105898.tif 000003
【図２】
0003105898.tif 000004
【図３】
0003105898.tif 000005
【図４】
0003105898.tif 000006